(57)【特許請求の範囲】
【請求項１】
撮影領域内の所定領域を隠すマスクパターンを記憶するマスクパターン記憶手段と、
前記マスクパターン記憶手段に記憶された前記マスクパターンによって隠されない領域を撮影し、第１動画を生成する第１動画生成手段と、
前記第１動画において前記マスクパターンによって隠される領域を前記第１動画とは異なるタイミングで撮影し、第２動画を生成する第２動画生成手段と、
動画を撮影しているときに、前記マスクパターンが前記所定領域を隠す条件を変更するマスク条件変更手段と、
前記第１動画生成手段及び前記第２動画生成手段によって生成された前記第１動画及び前記第２動画に基づいて第３動画を合成する合成手段と、
前記合成手段によって合成された前記第３動画を記録する記録手段と、を備えること
を特徴とするカメラ。
【請求項２】
請求項１に記載のカメラにおいて、
前記マスクパターンが前記所定領域を隠す条件は、前記所定領域における前記マスクパターンの透過率を変更する条件であること
を特徴とするカメラ。
【請求項３】
請求項１または請求項２に記載のカメラにおいて、
前記マスクパターンが前記所定領域を隠す条件は、前記所定領域の面積を変更する条件であること
ことを特徴とするカメラ。
【請求項４】
請求項１から請求項３のいずれか１項に記載のカメラにおいて、
ユーザにより作成された任意のマスクパターンを前記マスクパターン記憶手段に登録する登録手段を備えること
を特徴とするカメラ。
【請求項５】
請求項１から請求項４のいずれか１項に記載のカメラにおいて、
前記第３動画の撮影時間は、前記第１動画と前記第２動画との内で短い撮影時間の動画における撮影時間であること
を特徴とするカメラ。
【発明の詳細な説明】
【技術分野】
【０００１】
本発明は、撮影画像を合成する合成手段を備えたカメラに関するものである。
【背景技術】
【０００２】
従来、この種のカメラとしては、例えば、特許文献１に開示されたデジタルカメラがある。このデジタルカメラには多重撮影装置が備えられている。多重撮影装置は、撮像装置によって新たに撮影された画像を記録手段に既に記録された画像信号と合成する複数種類の演算回路から構成されている。撮影者は、用途毎に適切な種類の演算回路を選択することにより、多様な多重撮影を行える。
【先行技術文献】
【特許文献】
【０００３】
【特許文献１】特開平１１−２２５３０８号公報
【発明の概要】
【発明が解決しようとする課題】
【０００４】
しかしながら、上記従来のデジタルカメラは、多様な多重撮影を可能とするために、上記のように、用途毎に演算回路を複数種類設けなければならなかった。このため、上記従来のデジタルカメラは、簡単な回路構成で多重撮影を行うことができなかった。
【課題を解決するための手段】
【０００５】
本願の請求項１に係る発明におけるカメラは、撮影領域内の所定領域を隠すマスクパターンを記憶するマスクパターン記憶手段と、前記マスクパターン記憶手段に記憶された前記マスクパターンによって隠されない領域を撮影し、第１動画を生成する第１動画生成手段と、前記第１動画において前記マスクパターンによって隠される領域を前記第１動画とは異なるタイミングで撮影し、第２動画を生成する第２動画生成手段と、動画を撮影しているときに、前記マスクパターンが前記所定領域を隠す条件を変更するマスク条件変更手段と、前記第１動画生成手段及び前記第２動画生成手段によって生成された前記第１動画及び前記第２動画に基づいて第３動画を合成する合成手段と、前記合成手段によって合成された前記第３動画を記録する記録手段と、を備えることを特徴とする。
【０００６】
この構成によれば、マスクパターン記憶手段に記憶されている複数種類のマスクパターンを用いて、各撮影領域が撮影手段によって撮影され、各撮影画像が合成手段によって合成される。このため、マスクパターン記憶手段に記憶されているマスクパターンの種類に応じて多様な撮影画像の合成を行うことができる。従って、従来のように複数の演算回路を備えることなく、マスクパターン記憶手段だけを備えるという簡単な回路構成で、多様な撮影画像の合成を行えるカメラが提供される。
【０００８】
この構成によれば、選択手段によって選択されたマスクパターンによって隠される所定範囲の撮影領域と、これに隣接する隠されない撮影領域との境界位置は、境界変更手段によって変更される。このため、予めマスクパターン記憶手段に記憶されたマスクパターンに限られることなく、多様なマスクパターンで撮影が行える。
【００１０】
この構成によれば、マスクパターンによって隠されていた撮影領域の境界位置が、境界位置記憶手段によって記憶されたタイミングで、境界位置記憶手段によって記憶された境界位置に変更される。このため、動画撮影において撮影領域の境界位置が変更されても、撮影手段によってその変更タイミングが変更タイミング記憶手段から読み出されることで、合成範囲が適切なタイミングで切り換えられ、撮影者の要望に応じて多様な動画を作成することができる。
【００１２】
この構成によれば、透過率変更手段によってマスクパターンによって隠される撮影領域の透過率が変更されると、マスクパターンによって隠される撮影領域の撮影画像は透過率に応じて残存する。このため、合成手段により、マスクパターンによって隠されないで撮影された同じ撮影領域の撮影画像と合成されると、マスクパターンによって隠されない撮影画像に透過率に応じて残存した撮影画像が合成されるので、興趣の高い多重撮影画像が生成される。
【００１４】
この構成によれば、登録手段により、撮影者が作成したマスクパターンをマスクパターン記憶手段に記録させることができる。このため、撮影者の意図に合った撮影画像の合成を行わせることを可能としたカメラを提供することができる。
【発明の効果】
【００１５】
本発明によれば、上記のように、マスクパターン記憶手段だけを備えるという簡単な回路構成で、多様な撮影画像の合成を行えるカメラを提供することができる。
【図面の簡単な説明】
【００１６】
【図１】本発明の第１の実施の形態によるデジタルカメラの背面図である。
【図２】図１に示すデジタルカメラの電気回路構成の概略を示すブロック図である。
【図３】図１に示すデジタルカメラの不揮発性メモリに記憶されたマスクパターンを示す図である。
【図４】図１に示すデジタルカメラのＣＰＵによって行われる多重動画作成処理の概略を示すフローチャートである。
【図５】図４に示した多重動画作成処理における各領域を示し、（ａ）は１回目撮影におけるマスク領域、（ｂ）は２回目撮影におけるマスク領域、（ｃ）は１回目と２回目との各撮影データの合成領域を示した図である。
【図６】本発明の第２の実施の形態によるデジタルカメラのＣＰＵによって行われる多重動画作成処理の概略を示すフローチャートである。
【発明を実施するための形態】
【００１７】
次に、本発明によるカメラをデジタルカメラに適用した場合の第１の実施の形態について説明する。
【００１８】
図１は、この第１の実施の形態によるデジタルカメラ１の背面図である。
【００１９】
デジタルカメラ１の筐体１ａの上部には、被写体を撮影する際に操作されるレリーズボタン２が設けられている。レリーズボタン２は、半押しされるとオートフォーカス（Auto Focus）機能を作動させ、全押しされると予め設定されたシャッター速度でシャッターを開かせ、被写体像を所定時間露光させて被写体の撮影を行わせる。筐体１ａの背面にはモニタ３が設けられている。モニタ３は、ＴＦＴ（Thin Film Transistor）液晶からなる。
【００２０】
モニタ３の右側には、ズームボタン４、および十字ボタン５が配置されている。ズームボタン４は、モニタ３に表示される撮影画像を拡大、縮小表示させる際などに操作される。十字ボタン５は、上下方向および左右方向といった操作方向を検出する方向キーからなり、デジタルカメラ１の各種設定を行うメニュー画面において、種々の設定項目の中から所望の設定項目を選択する際などに操作される。十字ボタン５の内側には決定ボタン６が設けられている。決定ボタン６は、十字ボタン５の操作によって選択された所望の設定項目を決定する際などに操作される。
【００２１】
図２は、図１に示すデジタルカメラ１の電気回路構成の概略を示すブロック図である。なお、同図において図１と同一部分には同一符号を付して説明する。
【００２２】
デジタルカメラ１は、ＣＰＵ（Central Processing Unit）１１、ＥＥＰＲＯＭ（Electrically Erasable Programmable Read Only Memory）などで構成される不揮発性メモリ１２、およびＲＡＭ（Random Access Memory）などで構成されるバッファメモリ１３を備えている。不揮発性メモリ１２には、ＣＰＵ１１が種々の制御を行う際に参照される制御プログラムなどが格納されている。ＣＰＵ１１は、不揮発性メモリ１２に格納されている制御プログラムに従い、バッファメモリ１３を一時記憶作業領域として回路各部の制御を行い、デジタルカメラ１の種々の装置機能を作動させる。
【００２３】
被写体からの光は、光学系を構成するレンズ１４を介してデジタルカメラ１内に取り込まれる。デジタルカメラ１内に取り込まれた被写体光は、撮像部１５の撮像面１５ａ上に被写体像を投影する。撮像部１５は、ＣＣＤ（Charge Coupled Device）やＣＭＯＳ（Complementary Metal Oxide Semiconductor）などからなり、撮像部１５の撮像面１５ａ上に結像した被写体像は、アナログの撮像信号に変換される。変換された撮像信号は、Ａ／Ｄ変換部１６においてデジタル信号に変換される。画像処理部１７は、Ａ／Ｄ変換部１６でデジタル信号に変換された撮像信号をバス１８を介して取得し、取得した撮像信号に対して、ホワイトバランス処理やガンマ補正などの画像処理を行い、撮影された画像の画像データを生成する。画像処理部１７によって生成された画像データは、ＣＰＵ１１により、圧縮処理が施されてバッファメモリ１３に格納されると共に、Ｉ／Ｆ部１９を介して、図示しないスロットに着脱されるメモリカード２０に記録される。
【００２４】
ＣＰＵ１１には、上述したレリーズボタン２、ズームボタン４、十字ボタン５および決定ボタン６などが操作部７として接続されている。撮影者により操作部７を構成するレリーズボタン２が操作されると、撮像部１５に被写体光が露光されて、被写体像の撮像信号が生成される。上述したモニタ３には、撮像部１５の撮像面１５ａで撮像される被写体像がスルー画像として表示され、撮影者はこのスルー画像で構図を確認する。
【００２５】
本実施形態では、不揮発性メモリ１２は、マスクパターン記憶手段を構成しており、撮像部１５によって被写体を撮影する撮影領域の所定範囲を隠すマスクパターンを複数種類記憶している。マスクパターンの種類としては、例えば、図３（ａ）〜（ｄ）に示すマスクパターンがある。これらマスクパターンは、デジタルカメラ１の撮影モードが多重撮影モードに設定されると、ＣＰＵ１１によってモニタ３に表示される。撮影に用いられるマスクパターンは、撮影者が十字ボタン５を操作してモニタ３に表示されたマスクパターンの中から任意のマスクパターンを１つ選択し、決定ボタン６を操作することにより決定される。モニタ３、十字ボタン５、決定ボタン６およびＣＰＵ１１は、不揮発性メモリ１２に記憶された複数種類のマスクパターンの中から任意のマスクパターンを選択する選択手段を構成している。
【００２６】
同図（ａ）は左右マスク、同図（ｂ）は境界がグラデーションに設定された左右マスク、同図（ｃ）は上下マスク、同図（ｄ）は中央部マスクを示す。各マスクパターンにおける白で表された領域Ａは、撮影領域がマスクされないで１回目に撮影される領域を示している。一方、黒で表された領域Ｂは、撮影領域がマスクされて１回目の撮影で隠され、２回目に撮影される領域を示している。また、同図（ｂ）の白と黒のグラデーションで表された領域Ｃは、黒から白くなるに連れてマスクの透過率が高くなり、マスクによって隠される撮影画像の割合が低下していってぼかされる境界領域を示している。領域Ｃにおけるマスクの透過率は、メニュー画面において、撮影者が任意に設定可能とするように構成してもよい。
【００２７】
画像処理部１７は、多重撮影モードが設定されている場合、撮像部１５により撮影される画像の画像データを生成する際に、撮影者によって選択されたマスクパターンによって隠されずに１回目に撮影される領域Ａの撮影画像を、２回目に撮影される領域Ｂの撮影画像と合成する。ＣＰＵ１１、撮像部１５および画像処理部１７は、選択手段によって選択されたマスクパターンによって１回目の撮影で隠されない領域Ａおよび２回目の撮影で隠されない領域Ｂの各撮影領域を撮影する撮影手段を構成している。また、画像処理部１７は、合成手段を構成しており、撮影手段によって撮影されたマスクパターンによって隠されない各撮影領域ＡおよびＢの撮影画像を合成する。合成された撮影画像は、ＣＰＵ１１により、Ｉ／Ｆ部１９を介してメモリカード２０に記録される。ＣＰＵ１１は、合成された撮影画像を記録する記録手段を構成している。
【００２８】
図４は、デジタルカメラ１のＣＰＵ１１によって行われる多重動画作成処理の概略を示すフローチャートである。
【００２９】
ＣＰＵ１１は、Ｓ１において、デジタルカメラ１の撮影モードとしてマスク付き多重撮影モードがメニュー画面などで設定されているか否かを判別する。この判別が“Ｎｏ”である場合、多重動画作成処理は終了する。一方、マスク付き多重撮影モードが設定されていてＳ１の判別が“Ｙｅｓ”である場合、ＣＰＵ１１は、Ｓ２において、図３に示す複数のマスクパターンをモニタ３に表示させて、撮影者にいずれかのマスクパターンを選択させる。続いて、ＣＰＵ１１は、マスクパターンが選択されると、Ｓ３において、選択されたマスクパターンに対応したマスク領域をモニタ３のスルー画上に表示させるマスクパターン表示１処理を行う。例えば、図３（ａ）に示すマスクパターンが選択されると、ＣＰＵ１１は、図５（ａ）に示すように、モニタ３に、左側半分のマスクされない領域Ａを表示すると共に、斜線が描かれた右側半分のマスクされる領域Ｂを表示する。続いて、ＣＰＵ１１は、Ｓ４において、レリーズボタン２が全押しされて、１回目の動画撮影が開始されたか否かを判別する。この判別が“Ｎｏ”である場合、ＣＰＵ１１は、レリーズボタン２が全押しされるまでＳ４の判別処理を繰り返す。一方、ＣＰＵ１１は、レリーズボタン２が全押しされたことをＳ４で検出すると、Ｓ５において、１回目の動画撮影を開始する。この動画撮影では、左側半分のマスクされない領域Ａにおける動画が撮影される。続いて、Ｓ６において、ＣＰＵ１１は、レリーズボタン２が再度全押しされて、１回目の動画撮影が終了したか否かを判別する。この判別が“Ｎｏ”である場合、ＣＰＵ１１は、処理をＳ５へ戻し、動画撮影を継続する。一方、レリーズボタン２が全押しされたことが検出されてＳ６の判別が“Ｙｅｓ”となり、１回目の動画撮影が終了すると、ＣＰＵ１１は、Ｓ７において、１回目の撮影データをメモリーカード２０に保存する。
【００３０】
次に、ＣＰＵ１１は、Ｓ８において、１回目の動画撮影でマスクされた領域Ｂとマスクされなかった領域Ａとを反転させて、図５（ｂ）に示すような、斜線が描かれた左側半分のマスクされる領域Ａと、右側半分のマスクされない領域Ｂとをモニタ３のスルー画上に表示させるマスクパターン表示２処理を行う。続いて、ＣＰＵ１１は、Ｓ９において、レリーズボタン２が全押しされたか否かを判別し、２回目の動画撮影が開始されたか否かを判別する。この判別が“Ｎｏ”である場合、ＣＰＵ１１は、レリーズボタン２が全押しされるまでＳ９の判別処理を繰り返す。一方、ＣＰＵ１１は、レリーズボタン２が全押しされたことをＳ９で検出すると、Ｓ１０において、２回目の動画撮影を開始する。この動画撮影では、右側半分のマスクされない領域Ｂにおける動画が撮影される。続いて、Ｓ１１において、ＣＰＵ１１は、レリーズボタン２が再度全押しされて、２回目の動画撮影が終了したか否かを判別する。この判別が“Ｎｏ”である場合、ＣＰＵ１１は、処理をＳ１０へ戻し、動画撮影を継続する。一方、レリーズボタン２が全押しされたことが検出されてＳ１１の判別が“Ｙｅｓ”となり、２回目の動画撮影が終了すると、ＣＰＵ１１は、Ｓ１２において、メモリーカード２０から１回目の撮影データを読み出し、読み出した１回目の領域Ａの撮影データと２回目の領域Ｂの撮影データとを合成する多重動画作成処理を画像処理部１７において行わせる。Ｓ１２おいて、多重動画作成処理が完了すると、図５（ｃ）に示すような動画の合成撮影画像が完成する。ＣＰＵ１１は、完成した合成撮影画像をメモリーカード２０に保存し、多重動画作成処理を終了する。
【００３１】
このような本実施形態によるデジタルカメラ１によれば、上述したように、不揮発性メモリ１２に記憶されている図３で例示した複数種類のマスクパターンを用いて、各撮影領域Ａ，Ｂが図４，Ｓ５およびＳ１０の処理で撮影手段によって撮影され、各撮影画像が図４，Ｓ１２の処理で画像処理部１７によって合成される。このため、不揮発性メモリ１２に記憶されているマスクパターンの種類に応じて多様な撮影画像の合成を行うことができる。従って、従来のように複数の演算回路を備えることなく、複数種類のマスクパターンを記憶した不揮発性メモリ１２だけを備えるという簡単な回路構成で、多様な撮影画像の合成を行えるデジタルカメラ１が提供される。また、デジタルカメラ１以外の機器、例えば、ＰＣ（パーソナル・コンピュータ）を使用せずに、デジタルカメラ１だけで撮影画像を合成することができる。従って、撮影画像の合成が手軽に行える。
【００３２】
なお、本実施形態では、図４，Ｓ１１において２回目の動画を撮影し終えてから、Ｓ１２で多重動画作成処理を行う場合について説明したが、Ｓ１０において、２回目の動画の撮影時に同時に多重動画作成処理を行ってもよい。
【００３３】
また、Ｓ１０の２回目の動画撮影の際、左側半分のマスクされる領域Ａに、１回目の撮影結果をうっすらと表示させながら、撮影するようにしてもよい。
【００３４】
また、マスクパターンによってマスクされる斜線で示される領域は、黒画像で全く見えなくするのではなく、ある程度透けて見えるようにしてもよい。また、マスクされる斜線で示される領域は表示せずに、境界線だけを表示させるようにしてもよい。
【００３５】
また、Ｓ７の１回目の撮影データの保存は、カメラ内蔵のバッファメモリ１３などに記憶容量の余裕があれば、メモリカード２０でなくてバッファメモリ１３に保存するようにしてもよい。また、Ｓ７の１回目の撮影データの保存は、マスクされる領域Ｂの撮影データを黒画像として保存したり、全撮影領域を保存する。全撮影領域を保存した場合には、Ｓ１２の多重動画作成処理で、Ｓ１０で得られた２回目の撮影データが所定のマスクパターンで重ね合わされて、合成画像が生成される。
【００３６】
次に、本発明によるカメラをデジタルカメラに適用した第２の実施の形態について説明する。
【００３７】
本実施の形態によるデジタルカメラは、撮影済みの２つの動画像データを使用して、後処理により多重動画作成処理を行う点が上記の第１の実施の形態によるデジタルカメラ１と相違し、その他の構成は上記の第１の実施の形態と同一である。従って、電気回路構成は、図２に示される構成と同じであり、同図に付されている符号を用いて説明する。
【００３８】
図６は、第２の実施の形態によるデジタルカメラ１のＣＰＵ１１によって行われる多重動画作成処理の概略を示すフローチャートである。
【００３９】
この多重動画作成処理では、ＣＰＵ１１は、Ｓ２１において、デジタルカメラ１のメニュー画面などで、マスク付き多重編集モードが設定されたか否かを判別する。この判別が“Ｎｏ”である場合、多重動画作成処理は終了する。マスク付き多重編集モードが設定されていてＳ２１の判別が“Ｙｅｓ”である場合、ＣＰＵ１１は、Ｓ２２において、図３に示すマスクパターンをモニタ３に表示させて撮影者にマスクパターンを選択させる。続いて、ＣＰＵ１１は、メモリーカード２０を参照し、メモリーカード２０に記録されている複数の動画像データの一覧をモニタ３に表示させ、Ｓ２３において、合成させる１つ目の動画像データを十字ボタン５および決定ボタン６を用いて編集者に選択させる撮影データ１選択処理を行う。続いて、Ｓ２４においてもＳ２３と同様に、合成させる２つ目の動画像データを編集者に選択させる撮影データ２選択処理を行う。
【００４０】
次に、Ｓ２５において、ＣＰＵ１１は、モニタ３に、編集者が選択した撮影データ同士を合成する多重動画作成処理を実行するか否かを確認する画面を表示させる。編集者が多重動画作成処理の実行を選択せず、Ｓ２５の判別が“Ｎｏ”である場合、多重動画作成処理は終了する。一方、編集者が多重動画作成処理の実行を選択し、Ｓ２５の判別が“Ｙｅｓ”である場合、ＣＰＵ１１は、Ｓ２６において、Ｓ２３で選択された１つ目の動画像データとＳ２４で選択された２つ目の動画像データとを合成する多重動画作成処理を画像処理部１７に実行させる。この処理では、Ｓ２３で選択された１つ目の動画像データのうち、Ｓ２２で選択されたマスクパターンによって隠されない領域Ａのデータと、Ｓ２４で選択された２つ目の動画像データのうち、Ｓ２２で選択されたマスクパターンによって隠される領域Ｂのデータとが合成される。Ｓ２６おいて、多重動画作成処理が完了すると、ＣＰＵ１１は、完成した合成撮影画像をメモリーカード２０に保存し、多重動画作成処理を終了する。
【００４１】
このような本実施形態によるデジタルカメラ１によっても、不揮発性メモリ１２に記憶されている図３で例示した複数種類のマスクパターンを用いて、メモリーカード２０に記録されている撮影画像同士の合成を所望の態様で行うことができる。従って、本実施形態によるデジタルカメラ１によっても、上述した第１の実施形態と同様な作用効果が奏され、不揮発性メモリ１２だけを備えるという簡単な回路構成で、多様な撮影画像の合成を行えるデジタルカメラ１が提供される。
【００４２】
なお、上述した第２の実施の形態において、選択された１つ目の動画像データと２つ目の動画像データとで撮影時間の長さが異なる場合には、短い撮影時間の方の動画像データに合わせて合成画像が生成される。この場合、短い動画像データに合わせて合成を開始させる時間や合成を終了させる時間は、編集者が任意に決められるように構成することができる。
【００４３】
また、上記の各実施形態では、不揮発性メモリ１２に記憶されている図３で例示したマスクパターンによって区分される領域に従って合成画像を生成する場合について説明したが、本発明はこれに限られることはない。
【００４４】
例えば、デジタルカメラ１に、選択手段によって選択されたマスクパターンによって隠される所定範囲の撮影領域Ｂとこれに隣接する隠されない撮影領域Ａとの境界位置を変更する、十字ボタン５、決定ボタン６およびＣＰＵ１１によって構成される境界変更手段と、境界変更手段によって変更された境界位置を記憶する、バッファメモリ１３などによって構成される境界位置記憶手段とを備えるようにしてもよい。この場合、ＣＰＵ１１、撮像部１５および画像処理部１７から構成される撮影手段は、境界変更手段により変更された境界位置を有するマスクパターンによって隠されない撮影領域Ａと、境界位置記憶手段によって記憶された境界位置によって区分されてマスクパターンによって隠されていた撮影領域Ｂとを撮影する。画像処理部１７から構成される合成手段は、撮影手段によって撮影されたマスクパターンによって隠されない撮影領域Ａと、マスクパターンによって隠されていた撮影領域Ｂとの各撮影画像を合成する。
【００４５】
このような構成において、例えば、図４のＳ３において、選択されたマスクパターンがモニタ３のスルー画上に表示されている際に、撮影者が十字ボタン５を操作することで境界位置を変更し、決定ボタン６で決定することができ、変更された境界位置はバッファメモリ１３に記憶される。ＣＰＵ１１は、同図のＳ５で、境界位置を変更した領域Ａについて１回目の撮影を行った後、バッファメモリ１３に記憶され境界位置を基にマスクする領域を反転させ、同図のＳ１０で、境界位置を変更した領域Ｂについて２回目の撮影を行い、同図のＳ１２で、撮影画像を合成する処理を行う。
【００４６】
このような構成によるデジタルカメラ１によれば、上記のように、選択手段によって選択されたマスクパターンによって隠される所定範囲の撮影領域Ｂと、これに隣接する隠されない撮影領域Ａとの境界位置は、境界変更手段によって変更される。このため、予め不揮発性メモリ１２に記憶されたマスクパターンに限られることなく、多様なマスクパターンで撮影が行える。
【００４７】
また、境界変更手段を備えた上記構成のデジタルカメラ１に、境界変更手段によって境界位置が変更されたタイミングを記憶する、バッファメモリ１３などによって構成される変更タイミング記憶手段を備えるようにしてもよい。この場合、撮影手段は、２回目の撮影時に、１回目の撮影でマスクパターンによって隠されていた撮影領域Ｂの境界位置を、変更タイミング記憶手段によって記憶されたタイミングで、境界位置記憶手段によって記憶された境界位置に変更して、１回目の撮影でマスクパターンによって隠されていた撮影領域Ｂを撮影する。
【００４８】
このような構成においては、例えば、図４のＳ５において、撮影者が十字ボタン５を操作して境界位置を変更したタイミングがバッファメモリ１３に記憶される。その後、同図のＳ１０において、バッファメモリ１３に記憶されたタイミングで境界位置が変更されて２回目の撮影が行われる。
【００４９】
本構成によるデジタルカメラ１によれば、１回目の撮影でマスクパターンによって隠されていた撮影領域Ｂの境界位置が、２回目の撮影が行われるときに、変更タイミング記憶手段に記憶されたタイミングで、境界位置記憶手段に記憶された境界位置に変更される。このため、動画撮影において撮影領域の境界位置が変更されても、撮影手段によってその変更タイミングが変更タイミング記憶手段から読み出されることで、合成範囲が適切なタイミングで切り換えられ、撮影者の要望に応じて多様な動画を作成することができる。
【００５０】
また、上記の各実施形態によるデジタルカメラ１に、マスクパターンによって隠される撮影領域における撮影画像の透過率を変更する、十字ボタン５、決定ボタン６およびＣＰＵ１１によって構成される透過率変更手段を備える構成にしてもよい。
【００５１】
このような構成においては、例えば、図４のＳ３において、選択されたマスクパターンがモニタ３のスルー画上に表示されている際に、撮影者が十字ボタン５を操作することで透過率を変更し、決定ボタン６で決定することができる。
【００５２】
本構成によるデジタルカメラ１によれば、透過率変更手段によってマスクパターンによって隠される撮影領域Ｂの透過率が変更されると、マスクパターンによって隠される撮影領域Ｂの撮影画像は変更された透過率に応じて残存する。このため、合成手段により、マスクパターンによって隠されないで２回目に撮影された同じ撮影領域Ｂの撮影画像と合成されると、マスクパターンによって隠されない撮影画像に透過率に応じて残存した撮影画像が合成されるので、興趣の高い多重撮影画像が生成される。なお、透過率の変更タイミングは、図４のＳ３等の撮影前に設定されるものに限られることはなく、同図のＳ５，Ｓ１０等の撮影中に透過率を変更できるようにしてもよい。
【００５３】
また、上記の各実施形態によるデジタルカメラ１に、撮影者が任意のマスクパターンをマスクパターン記憶手段に記録させられる、ＣＰＵ１１によって構成される登録手段を備える構成にしてもよい。
【００５４】
このような構成においては、例えば、画面がタッチパネルで形成されるモニタ３に撮影者がタッチして描いてバッファメモリ１３に記録させた任意のマスクパターン、または、撮影者が紙等に描いてデジタルカメラ１で撮影してメモリーカード２０に記憶させた任意のマスクパターンなどを、ＣＰＵ１１によって不揮発性メモリ１２に記憶させることができる。また、境界位置が撮影中に変動するマスクパターンを予め作成し、不揮発性メモリ１２に記憶させることもできる。
【００５５】
本構成によるデジタルカメラ１によれば、登録手段により、撮影者が作成したマスクパターンをマスクパターン記憶手段に記録させることができる。このため、撮影者の意図に合った撮影画像の合成を行わせることを可能としたカメラを提供することができる。
【００５６】
また、上記の各実施形態では、撮影画像が動画像である場合について説明したが、撮影画像は動画像に限られることはなく、静止画像であってもよい。この構成においても、上各記実施形態と同様の作用効果が奏される。
【００５７】
また、上記の各実施形態では、先に撮影した撮影画像と後に撮影した撮影画像とを合成する場合、すなわち２回の多重撮影を実施した場合について説明したが、本発明はこれに限られることはない。例えば、マスクパターンに境界位置を２箇所以上設け、マスクする領域を３回以上変更して３回以上の多重撮影を実施するような構成にしてもよい。この構成においても、上記各実施形態と同様の作用効果が奏される。
【産業上の利用可能性】
【００５８】
上記の各実施形態においては、本発明によるカメラをデジタルカメラに適用した場合について説明したが、ビデオカメラや携帯電話機に搭載されたカメラなどに、本発明を適用することも可能である。このようなカメラに本発明を適用した場合においても、上記の各実施形態と同様の作用効果が奏される。
【符号の説明】
【００５９】
１…デジタルカメラ、３…モニタ、１１…ＣＰＵ、不揮発性メモリ１２、バッファメモリ１３、１５…撮像部、１６…Ａ／Ｄ変換部、１７…画像処理部、２０…メモリカード
【図１】
0005423285.tif 000002
【図２】
0005423285.tif 000003
【図３】
0005423285.tif 000004
【図４】
0005423285.tif 000005
【図５】
0005423285.tif 000006
【図６】
0005423285.tif 000007